(57)【要約】【課題】基板に取り付けられたリセプタクルコネクタに基板に交差する方向から差し込まれるプラグコネクタであって、差込接続されたリセプタクルコネクタからの抜取りを、変形もしくは破損等が生じる虞を低減できるもとで行えるものを提供する。【解決手段】絶縁ハウジング（１２）に設けられて信号導体（２１）に接続される複数の導電コンタクト部材（１３）と、絶縁ハウジング（１２）に埋め込まれ、一部分が絶縁ハウジング（１２）から突出する突出部（１４ａ）を形成する金属板部材（１４）とを備えて構成され、絶縁ハウジング（１２）が基板に取り付けられたリセプタクルコネクタに基板に交差する方向をもって差し込まれ、リセプタクルコネクタに差し込まれた絶縁ハウジング（１２）における複数の導電コンタクト部材（１３）に、リセプタクルコネクタにおける複数の導電コンタクト部材が接触するものとされる。【選択図】図６
2007258126.tif 000002
【特許請求の範囲】
【請求項１】
絶縁ハウジングと、
該絶縁ハウジングに配列配置されて設けられ、少なくとも一つが信号導体に接続される複数の第１の導電コンタクト部材と、
該複数の第１の導電コンタクト部材の配列方向に沿って伸びる状態をもって上記絶縁ハウジングに埋め込まれ、一部分が上記絶縁ハウジングから上記信号導体の引出し方向に沿う方向に突出する突出部を形成する金属板部材と、
を備えて構成され、
上記絶縁ハウジングが基板に取り付けられたリセプタクルコネクタに上記基板に交差する方向をもって差し込まれ、上記リセプタクルコネクタに差し込まれた上記絶縁ハウジングにおける上記複数の第１の導電コンタクト部材に、上記リセプタクルコネクタにおける複数の第２の導電コンタクト部材が接触するものとされるプラグコネクタ。
【請求項２】
上記絶縁ハウジングから突出する上記突出部が、上記絶縁ハウジングが上記リセプタクルコネクタに差し込まれたとき、上記基板との間に空隙を形成することを特徴とする請求項１記載のプラグコネクタ。
【請求項３】
上記金属板部材が、上記絶縁ハウジングの内部において屈曲されていることを特徴とする請求項１または２記載のプラグコネクタ。
【請求項４】
上記金属板部材における突出部が、上記金属板部材における上記絶縁ハウジングの内部において屈曲された部分から伸びることを特徴とする請求項３記載のプラグコネクタ。
【請求項５】
上記第１の導電コンタクト部材が、上記絶縁ハウジングに埋め込まれた屈曲部を有し、該屈曲部の一部が上記絶縁ハウジングの外表面に露出して、上記絶縁ハウジングが上記リセプタクルコネクタに差し込まれるとき上記第２の導電コンタクト部材が接触する接触部を形成することを特徴とする請求項１から請求項４までのいずれかに記載のプラグコネクタ。
【請求項６】
上記接触部に、上記第２の導電コンタクト部材に設けられた凹部もしくは凸部に係合する凸部もしくは凹部が設けられることを特徴とする請求項５記載のプラグコネクタ。
【請求項７】
第１の絶縁ハウジングと、該第１の絶縁ハウジングに配列配置されて設けられ、少なくとも一つが信号導体に接続される複数の第１の導電コンタクト部材と、該複数の第１の導電コンタクト部材の配列方向に沿って伸びる状態をもって上記第１の絶縁ハウジングに埋め込まれ、一部分が上記第１の絶縁ハウジングから上記信号導体の引出し方向に沿う方向に突出する突出部を形成する金属板部材と、を備えて構成されるプラグコネクタにおける上記第１の絶縁ハウジングが差し込まれる嵌合部が設けられて基板に取り付けられ、上記第１の絶縁ハウジングの上記嵌合部への差込み方向が上記基板に交差する方向とされる第２の絶縁ハウジングと、
該第２の絶縁ハウジングにおける上記嵌合部に配列配置されて設けられ、上記嵌合部に差し込まれた上記第１の絶縁ハウジングにおける上記複数の第１の導電コンタクト部材に接触する複数の第２の導電コンタクト部材と、
上記第２の絶縁ハウジングにおける上記嵌合部に、該嵌合部に差し込まれた上記第１の絶縁ハウジングから突出する上記突出部に対応する位置をもって設けられた開口部と、を備えて構成されるリセプタクルコネクタ。
【請求項８】
上記開口部が、上記嵌合部に差し込まれた上記第１の絶縁ハウジングから突出する上記突出部に、上記第２の絶縁ハウジングが取り付けられた上記基板との間に所定の空隙を形成させることを特徴とする請求項７記載のリセプタクルコネクタ。
【請求項９】
上記第２の導電コンタクト部材に、上記第１の導電コンタクト部材における上記第２の導電コンタクト部材が接触する部位に設けられた凸部もしくは凹部に係合する凹部もしくは凸部が設けられることを特徴とする請求項７または８記載のリセプタクルコネクタ。
【請求項１０】
第１の絶縁ハウジングと、該第１の絶縁ハウジングに配列配置されて設けられ、少なくとも一つが信号導体に接続される複数の第１の導電コンタクト部材と、該複数の第１の導電コンタクト部材の配列方向に沿って伸びる状態をもって上記第１の絶縁ハウジングに埋め込まれ、一部分が上記第１の絶縁ハウジングから上記信号導体の引出し方向に沿う方向に突出する突出部を形成する金属板部材とを備えて構成されるプラグコネクタが、上記第１の絶縁ハウジングが差し込まれる嵌合部が設けられて基板に取り付けられる第２の絶縁ハウジングと、上記嵌合部に配列配置されて設けられ、上記嵌合部に差し込まれた上記第１の絶縁ハウジングにおける上記複数の第１の導電コンタクト部材に接触する複数の第２の導電コンタクト部材と、上記嵌合部に差し込まれた上記第１の絶縁ハウジングから突出する上記突出部に対応する位置をもって上記嵌合部に設けられた開口部とを備えて構成されるリセプタクルコネクタに、上記第１の絶縁ハウジングが上記嵌合部に上記基板に交差する方向をもって差し込まれ、上記突出部が上記開口部内に位置せしめられる状態をもって係合して成るコネクタ係合体に対し、
上記突出部を上記基板から離隔する方向に移動させることによって、上記第１の絶縁ハウジングを上記嵌合部から離脱させる操作を行い、上記プラグコネクタを上記リセプタクルコネクタから抜き取ることを特徴とするコネクタ抜取り方法。
【請求項１１】
上記コネクタ係合体に対し、上記嵌合部に差し込まれた上記第１の絶縁ハウジングから突出する上記突出部と上記基板との間の空隙に、抜取り用ジグの端部を差し込み、該抜取り用ジグの端部を、上記突出部に当接させて該突出部と共に上記基板から離隔させる操作を行うことにより、上記突出部を上記基板から離隔する方向に移動させることを特徴とする請求項１０記載のコネクタ抜取り方法。
【発明の詳細な説明】
【技術分野】
【０００１】
本願の特許請求の範囲に記載された発明は、信号導体を内蔵したケーブルや信号導体が配されたフレキシブル印刷配線基板（ＦＰＣ）等が連結されるプラグコネクタ，そのプラグコネクタが差し込まれるリセプタクルコネクタ、及び、プラグコネクタが差し込まれたリセプタクルコネクタからプラグコネクタを抜き取るコネクタ抜取り方法に関する。
【背景技術】
【０００２】
各々が信号導体を内蔵した複数のケーブルが平板状に配列されて成るケーブル群や複数の信号導体が設けられたフレキシブル印刷配線基板を、各種の電気部品が取り付けられるソリッド印刷配線基板に接続するにあたっては、ケーブル群あるいはフレキシブル印刷配線基板が連結されるプラグコネクタと、ソリッド印刷配線基板にそれとの電気的接続がなされて取り付けられ、プラグコネクタが差込接続されるリセプタクルコネクタとが用いられる。このようなプラグコネクタ及びリセプタクルコネクタにあっては、ケーブル群あるいはフレキシブル印刷配線基板が連結されたプラグコネクタのソリッド印刷配線基板に取り付けられたリセプタクルコネクタへの差込接続を容易かつ確実に行えるものとすべく、ソリッド印刷配線基板に取り付けられたリセプタクルコネクタに対して、プラグコネクタを、ソリッド印刷配線基板に直交もしくは略直交する方向から差し込むようにしたものが知られている（例えば、特許文献１参照。）。
【０００３】
ソリッド印刷配線基板に取り付けられたリセプタクルコネクタにプラグコネクタがソリッド印刷配線基板に直交もしくは略直交する方向から差し込まれることになるプラグコネクタ及びリセプタクルコネクタについても、プラグコネクタがリセプタクルコネクタに差込接続されてコネクタ係合体を構成するもとでの全体の小型化及びソリッド印刷配線基板からの高さの低減化が求められている。そのため、リセプタクルコネクタの全高が比較的小とされるとともに、プラグコネクタが、リセプタクルコネクタに差込接続されたとき、リセプタクルコネクタから高さ方向には突出しないようにされる。さらに、プラグコネクタがリセプタクルコネクタに差込接続されたもとにあっては、プラグコネクタに連結されたケーブル群あるいはフレキシブル印刷配線基板が、ソリッド印刷配線基板に略平行な方向に伸びるものとされる。
【０００４】
このようにして、ソリッド印刷配線基板に取り付けられたリセプタクルコネクタにプラグコネクタがソリッド印刷配線基板に直交もしくは略直交する方向から差し込まれるものであって、プラグコネクタがリセプタクルコネクタに差込接続されてコネクタ係合体を構成するもとでの全体の小型化及びソリッド印刷配線基板からの高さの低減化が図られたプラグコネクタ及びリセプタクルコネクタの場合、リセプタクルコネクタに差込接続されたプラグコネクタをリセプタクルコネクタから外す必要が生じたとき、プラグコネクタが、リセプタクルコネクタから抜き取り難いものとなってしまう。そこで、従来にあっては、プラグコネクタにおける、リセプタクルコネクタに差込接続されたとき外部に臨むものとなる部分に、テープやアーム等を取り付けておき、そのテープやアーム等を引っ張ることにより、プラグコネクタをリセプタクルコネクタから抜き取ることができるようにすることが提案されている（例えば、特許文献２参照。）。
【０００５】
【特許文献１】特開２００２−２８０１０２号公報（第３，４頁、図１，１２）
【特許文献２】意匠登録第１２０９８０３号公報（第２〜４頁）
【発明の開示】
【発明が解決しようとする課題】
【０００６】
上述のように、ソリッド印刷配線基板に取り付けられたリセプタクルコネクタにプラグコネクタがソリッド印刷配線基板に直交もしくは略直交する方向から差し込まれることになるプラグコネクタ及びリセプタクルコネクタであって、リセプタクルコネクタに差込接続されたプラグコネクタを、それに取り付けられたテープやアーム等を引っ張ることにより、リセプタクルコネクタから抜き取ることができるようにされたものは、構造上の弱点を伴っている。即ち、リセプタクルコネクタに差込接続されたプラグコネクタのリセプタクルコネクタからの抜取りにあたって、プラグコネクタに取り付けられたテープやアーム等が引っ張られる際には、プラグコネクタにおけるテープやアーム等の取付部に、極めて大なる引っ張り力が局所的に加えられることになり、プラグコネクタにおけるテープやアーム等の取付部が、構造的にその引っ張り力に耐えられなくなる事態が生じてしまうのである。
【０００７】
そして、プラグコネクタにおけるテープやアーム等の取付部が引っ張り力に耐えられなくなると、プラグコネクタの変形もしくは破損、または、プラグコネクタに連結されたケーブル群あるいはフレキシブル印刷配線基板における信号導体の断線が生じ、さらには、プラグコネクタの変形あるいは破損に起因するリセプタクルコネクタの変形あるいは破損等がもたらされる虞もある。
【０００８】
斯かる点に鑑み、本願の特許請求の範囲に記載された発明は、基板に取り付けられたリセプタクルコネクタに、例えば、基板に直交もしくは略直交する方向とされる、基板に交差する方向から差し込まれるプラグコネクタであって、差込接続されたリセプタクルコネクタからの抜取りを、プラグコネクタの変形もしくは破損，プラグコネクタに連結されたケーブルあるいはフレキシブル印刷配線基板における信号導体の断線等が生じる虞が著しく低減されるもとで行えるもの，斯かるプラグコネクタの差込接続がなされるべく基板に取り付けられるリセプタクルコネクタ、及び、このようなプラグコネクタを、それが差込接続されたリセプタクルコネクタから、その変形もしくは破損，それに連結されたケーブルあるいはフレキシブル印刷配線基板における信号導体の断線等を生じさせることなく抜き取るコネクタ抜取り方法を提供する。
【課題を解決するための手段】
【０００９】
本願の特許請求の範囲における請求項１から請求項６までのいずれかに記載された発明（以下、本願請求項１〜６の発明という。）に係るプラグコネクタは、絶縁ハウジングと、絶縁ハウジングに配列配置されて設けられ、少なくとも一つが信号導体に接続される複数の第１の導電コンタクト部材と、複数の第１の導電コンタクト部材の配列方向に沿って伸びる状態をもって絶縁ハウジングに埋め込まれ、その一部分が絶縁ハウジングから信号導体の引出し方向に沿う方向に突出する突出部を形成する金属板部材とを備えて構成され、絶縁ハウジングが基板に取り付けられたリセプタクルコネクタに基板に交差する方向をもって差し込まれ、リセプタクルコネクタに差し込まれた絶縁ハウジングにおける複数の第１の導電コンタクト部材に、リセプタクルコネクタにおける複数の第２の導電コンタクト部材が接触するものとされる。
【００１０】
特に、請求項２に記載された発明に係るプラグコネクタは、絶縁ハウジングから突出する突出部が、絶縁ハウジングがリセプタクルコネクタに差し込まれたとき、リセプタクルコネクタが取り付けられた基板との間に空隙を形成するものとされる。
【００１１】
また、本願の特許請求の範囲における請求項７から請求項９までのいずれかに記載された発明（以下、本願請求項７〜９の発明という。）に係るリセプタクルコネクタは、第１の絶縁ハウジングと、第１の絶縁ハウジングに配列配置されて設けられ、少なくとも一つが信号導体に接続される複数の第１の導電コンタクト部材と、複数の第１の導電コンタクト部材の配列方向に沿って伸びる状態をもって第１の絶縁ハウジングに埋め込まれ、その一部分が第１の絶縁ハウジングから信号導体の引出し方向に沿う方向に突出する突出部を形成する金属板部材と、を備えて構成されるプラグコネクタにおける第１の絶縁ハウジングが差し込まれる嵌合部が設けられて基板に取り付けられ、第１の絶縁ハウジングの嵌合部への差込み方向が基板に交差する方向とされる第２の絶縁ハウジングと、第２の絶縁ハウジングにおける嵌合部に配列配置されて設けられ、嵌合部に差し込まれた第１の絶縁ハウジングにおける複数の第１の導電コンタクト部材に接触する複数の第２の導電コンタクト部材と、第２の絶縁ハウジングにおける嵌合部に、それに差し込まれた第１の絶縁ハウジングから突出する突出部に対応する位置をもって設けられた開口部と、を備えて構成される。
【００１２】
特に、請求項８に記載されたリセプタクルコネクタは、第２の絶縁ハウジングにおける嵌合部に設けられた開口部が、嵌合部に差し込まれた第１の絶縁ハウジングから突出する突出部に、第２の絶縁ハウジングが取り付けられた基板との間に所定の空隙を形成させるものとされる。
【００１３】
さらに、請求項１０または請求項１１に記載された発明（以下、本願請求項１０〜１１の発明という。）に係るコネクタ抜取り方法は、第１の絶縁ハウジングと、第１の絶縁ハウジングに配列配置されて設けられ、少なくとも一つが信号導体に接続される複数の第１の導電コンタクト部材と、複数の第１の導電コンタクト部材の配列方向に沿って伸びる状態をもって第１の絶縁ハウジングに埋め込まれ、その一部分が第１の絶縁ハウジングから信号導体の引出し方向に沿う方向に突出する突出部を形成する金属板部材とを備えて構成されるプラグコネクタが、第１の絶縁ハウジングが差し込まれる嵌合部が設けられて基板に取り付けられる第２の絶縁ハウジングと、嵌合部に配列配置されて設けられ、嵌合部に差し込まれた第１の絶縁ハウジングにおける複数の第１の導電コンタクト部材に接触する複数の第２の導電コンタクト部材と、嵌合部に差し込まれた第１の絶縁ハウジングから突出する突出部に対応する位置をもって嵌合部に設けられた開口部とを備えて構成されるリセプタクルコネクタに、第１の絶縁ハウジングが嵌合部に第２の絶縁ハウジングが取り付けられた基板に交差する方向をもって差し込まれ、第１の絶縁ハウジングから突出する突出部が開口部内に位置せしめられる状態をもって係合して成るコネクタ係合体に対し、突出部を基板から離隔する方向に移動させることによって、第１の絶縁ハウジングを嵌合部から離脱させる操作を行い、プラグコネクタをリセプタクルコネクタから抜き取るものとされる。
【００１４】
上述のように構成される本願請求項１〜６の発明に係るプラグコネクタにあっては、絶縁ハウジングにそれに配列配置されて設けられた複数の第１の導電コンタクトの配列方向に沿って伸びるものとして埋め込まれた金属板部材が備えられており、その金属板部材の一部分が、絶縁ハウジングから、少なくとも一つの第１の導電コンタクトに接続された信号導体の引出し方向に沿う方向に突出する突出部を形成している。そして、複数の第１の導電コンタクトが設けられるとともに金属板部材が埋め込まれた絶縁ハウジングが、基板に取り付けられたリセプタクルコネクタに基板に交差する方向をもって差し込まれ、リセプタクルコネクタに差し込まれた絶縁ハウジングにおける複数の第１の導電コンタクト部材に、リセプタクルコネクタにおける複数の第２の導電コンタクト部材が接触する。このとき、リセプタクルコネクタに差し込まれた絶縁ハウジンから突出する金属板部材の突出部は、例えば、リセプタクルコネクタが取り付けられた基板との間に空隙を形成する位置におかれる。
【００１５】
また、本願請求項７〜９の発明に係るリセプタクルコネクタにあっては、上述の本願請求項１〜６の発明に係るプラグコネクタである第１の絶縁ハウジングを備えたプラグコネクタにおける当該第１の絶縁ハウジングが差し込まれる嵌合部が設けられて基板に取り付けられ、第１の絶縁ハウジングの嵌合部への差込み方向が基板に交差する方向とされる第２の絶縁ハウジングを備えている。そして、その第２の絶縁ハウジングにおける嵌合部に、嵌合部に差し込まれた第１の絶縁ハウジングにおける複数の第１の導電コンタクト部材に接触する複数の第２の導電コンタクト部材が配列配置されて設けられるとともに、所定の開口部が嵌合部に差し込まれた第１の絶縁ハウジングから突出する突出部に対応する位置をもって設けられる。開口部は、例えば、嵌合部に差し込まれた第１の絶縁ハウジングから突出する突出部に、第２の絶縁ハウジングが取り付けられた基板との間に所定の空隙を形成させる。
【００１６】
さらに、本願請求項１０〜１１の発明に係るコネクタ抜取り方法にあっては、上述の本願請求項１〜６の発明に係るプラグコネクタである第１の絶縁ハウジングを備えたプラグコネクタが、上述の本願請求項７〜９の発明に係るリセプタクルコネクタである第２の絶縁ハウジングを備えたリセプタクルコネクタに、第１の絶縁ハウジングが、第２の絶縁ハウジングに設けられた嵌合部に第２の絶縁ハウジングが取り付けられた基板に交差する方向をもって差し込まれ、第１の絶縁ハウジングから突出する金属板部材の突出部が、第２の絶縁ハウジングにおける嵌合部に設けられた開口部に位置せしめられる状態をもって係合して成るコネクタ係合体に対して、突出部を基板から離隔する方向に移動させることによって、第１の絶縁ハウジングを嵌合部から離脱させる操作を行い、それによって、プラグコネクタをリセプタクルコネクタから抜き取る。突出部を基板から離隔する方向に移動させるにあたっては、例えば、コネクタ係合体に対し、第２の絶縁ハウジングにおける嵌合部に差し込まれた第１の絶縁ハウジングから突出する突出部と上記基板との間の空隙に、抜取り用ジグの端部を差し込み、その端部を突出部に当接させてそれと共に基板から離隔させる操作を行うことにより行う。
【発明の効果】
【００１７】
上述の本願請求項１〜６の発明に係るプラグコネクタにおいては、絶縁ハウジングにそれに配列配置されて設けられた複数の第１の導電コンタクト部材の配列方向に沿って伸びるものとして埋め込まれた金属板部材の一部分が、絶縁ハウジングから、少なくとも一つの第１の導電コンタクト部材に接続された信号導体の引出し方向に沿う方向に突出する突出部を形成している。それにより、本願請求項１〜６の発明に係るプラグコネクタが、その絶縁ハウジングが基板に取り付けられたリセプタクルコネクタに基板に交差する方向をもって差し込まれ、リセプタクルコネクタに差込接続された状態にあるとき、絶縁ハウジングから突出する突出部に、リセプタクルコネクタが取り付けられた基板から離隔させる方向の力を加えて、その突出部を基板から離隔する方向に移動させることにより、絶縁ハウジングをリセプタクルコネクタから容易に離脱させることができる。その際、絶縁ハウジングから突出する突出部に加えられる力は、絶縁ハウジングに埋め込まれた金属板部材全体にかかり、金属板部材によって受け止められるので、本願請求項１〜６の発明に係るプラグコネクタに局所的に集中作用することはない。
【００１８】
従って、本願請求項１〜６の発明に係るプラグコネクタは、基板に取り付けられたリセプタクルコネクタに、基板に交差する方向から差し込まれて、差込接続された状態にあるとき、絶縁ハウジングから突出する金属板部材の突出部を利用して、リセプタクルコネクタからの抜取りを、その変形もしくは破損，それに設けられた少なくとも一つの第１の導電コンタクト部材に接続された信号導体の断線等が生じる虞が著しく低減されるもとで、行うことができるものとなる。
【００１９】
さらに、本願請求項１〜６の発明に係るプラグコネクタにおいては、絶縁ハウジングに金属板部材が埋め込まれているので、絶縁ハウジングの“ねじれ”等が発生し難く、第１の導電コンタクト部材に対するリセプタクルコネクタにおける第２の導電コンタクト部材の接触が適正な接触圧をもって行われることになる。それに加えて、絶縁ハウジングに埋め込まれた金属板部材を、グラウンド接続して、絶縁ハウジングに設けられた第１の導電コンタクト部材及びそれに接続された信号導体に対して、自己放射ノイズの低減及び外部ノイズの遮断等の電磁シールド効果をもたらすものとすることができる。
【００２０】
また、本願請求項７〜９の発明に係るリセプタクルコネクタにおいては、プラグコネクタにおける第１の絶縁ハウジングが差し込まれる嵌合部が設けられて基板に取り付けられ、第１の絶縁ハウジングの嵌合部への差込方向が基板に交差する方向とされる第２の絶縁ハウジングを備え、その第２の絶縁ハウジングにおける嵌合部に、所定の開口部が嵌合部に差し込まれた第１の絶縁ハウジングから突出する突出部に対応する位置をもって設けられる。それにより、本願請求項７〜９の発明に係るリセプタクルコネクタによれば、プラグコネクタが、その第１の絶縁ハウジングが嵌合部に差し込まれ、第１の絶縁ハウジングから突出する突出部が、開口部に対応する位置をとり、例えば、基板との間に空隙を形成する状態にあるとき、開口部に対応する位置をとる突出部に基板から離隔させる方向の力を加えて、その突出部を基板から離隔する方向に移動させることにより、第１の絶縁ハウジングを嵌合部から容易に離脱させることができる。その際、プラグコネクタにおける絶縁ハウジングから突出する突出部に加えられる力は、絶縁ハウジングに埋め込まれた金属板部材全体にかかり、金属板部材によって受け止められるので、プラグコネクタに局所的に集中作用することはない。
【００２１】
従って、本願請求項７〜９の発明に係るリセプタクルコネクタは、第１の絶縁ハウジングが基板に取り付けられた第２の絶縁ハウジングにおける嵌合部に基板に交差する方向から差し込まれた状態にあるプラグコネクタを、第１の絶縁ハウジングから突出する金属板部材の突出部を利用して、その変形もしくは破損，それに設けられた少なくとも一つの第１の導電コンタクト部材に接続された信号導体の断線等が生じる虞が著しく低減されるもとで、抜き取ることができるものとなる。
【００２２】
さらに、本願請求項１０〜１１の発明に係るコネクタ抜取り方法においては、第１の絶縁ハウジングを備えるプラグコネクタが、基板に取り付けられた第２の絶縁ハウジングを備えるリセプタクルコネクタに、第１の絶縁ハウジングが第２の絶縁ハウジングに設けられた嵌合部に基板に交差する方向をもって差し込まれることにより係合して成るコネクタ係合体に対して、第２の絶縁ハウジングにおける嵌合部に設けられた開口部に位置する第１の絶縁ハウジングから突出する金属板部材の突出部を、基板から離隔する方向に移動させることによって、第１の絶縁ハウジングを嵌合部から離脱させる操作を行い、それによって、プラグコネクタをリセプタクルコネクタから抜き取る。その際、第１の絶縁ハウジングから突出する突出部を基板から離隔する方向に移動させるべく突出部に加えられる力は、第１の絶縁ハウジングに埋め込まれた金属板部材全体にかかり、金属板部材によって受け止められるので、プラグコネクタに局所的に集中作用することはない。
【００２３】
従って、本願請求項１０〜１１の発明に係るコネクタ抜取り方法によれば、第１の絶縁ハウジングが基板に取り付けられた第２の絶縁ハウジングにおける嵌合部に基板に交差する方向から差し込まれて、リセプタクルコネクタとの係合状態にあるプラグコネクタを、第１の絶縁ハウジングから突出する金属板部材の突出部を利用して、その変形もしくは破損，それに設けられた少なくとも一つの第１の導電コンタクト部材に接続された信号導体の断線等が生じる虞が著しく低減されるもとで、リセプタクルコネクタから抜き取ることができる。
【発明を実施するための最良の形態】
【００２４】
本願の特許請求の範囲に記載された発明を実施するための最良の形態は、以下に述べられる実施例をもって説明される。
【実施例１】
【００２５】
図１（上面図），図２（正面図）及び図３（底面図）は、本願請求項１〜６の発明に係るプラグコネクタの一例を示す。
【００２６】
図１〜図３において、本願請求項１〜６の発明に係るプラグコネクタの一例を成すプラグコネクタ１１は、例えば、ソリッド印刷配線基板とされる基板に取り付けられたリセプタクルコネクタに差込接続されるものとされており、合成樹脂等の絶縁材料によって形成された細長い絶縁ハウジング１２を備えている。絶縁ハウジング１２には、その長手方向に配列配置された複数の導電コンタクト部材１３が設けられている。複数の導電コンタクト部材１３の各々は、部分１３ａと部分１３ｂとを有している。そして、複数の導電コンタクト部材１３は、少なくとも一つがケーブルに内蔵された信号導体に接続される状態とされ、導電コンタクト部材１３に接続された信号導体が、ケーブルに内蔵された状態をもって、絶縁ハウジング１２の背面部から引き出される。
【００２７】
また、絶縁ハウジング１２には、比較的大なる剛性を有した金属板部材１４が、複数の導電コンタクト部材１３の配列方向に沿って伸び、絶縁ハウジング１２の略全体に亙る状態をもって埋め込まれている。この金属板部材１４は、図１及び図３に示されるように、その一部分が、絶縁ハウジング１２の長手方向の両端部の夫々において、絶縁ハウジング１２の背面側からその外方に、ケーブルに内蔵された信号導体の絶縁ハウジング１２からの引出し方向に沿う方向に突出する突出部１４ａを形成している。即ち、絶縁ハウジング１２の長手方向の両端部に一対の突出部１４ａが形成されているのである。但し、金属板部材１４の突出部１４ａは、一対が形成される態様に限られるものではなく、必要に応じて他の態様がとられ得るものである。さらに、図３に示されるように、金属板部材１４は、絶縁ハウジング１２の底面側の外表面に露出する部分である露出部１４ｂを有している。
【００２８】
図１におけるIV−IV線断面をあらわす図４に示されるように、絶縁ハウジング１２に設けられた複数の導電コンタクト部材１３の各々にあっては、その部分１３ａが絶縁ハウジング１２の上面側の外表面上に配された平坦部とされており、また、その部分１３ｂが絶縁ハウジング１２に埋め込まれた屈曲部とされている。絶縁ハウジング１２に埋め込まれた部分１３ｂは、その一部が絶縁ハウジング１２の正面側の外表面に露出して、プラグコネクタ１１が差込接続されるリセプタクルコネクタの導電コンタクト部材が接触することになる接触部を形成している。そして、部分１３ｂが形成する接触部には、リセプタクルコネクタの導電コンタクト部材に設けられた凹部に係合する凸部１３ｃが設けられている。
【００２９】
このようにして、プラグコネクタ１１が差込接続されるリセプタクルコネクタの導電コンタクト部材が接触することになる接触部が、導電コンタクト部材１３における絶縁ハウジング１２に埋め込まれた屈曲部とされる部分１３ｂの一部によって形成されることにより、当該接触部の絶縁ハウジング１２からの剥離が回避される。
【００３０】
なお、図４に示される例にあっては、導電コンタクト部材１３の部分１３ｂが形成する接触部に、リセプタクルコネクタの導電コンタクト部材に設けられた凹部に係合する凸部１３ｃが設けられているが、それに代えて、導電コンタクト部材１３の部分１３ｂが形成する接触部に、リセプタクルコネクタの導電コンタクト部材に設けられた凸部に係合する凹部が設けられてもよい。
【００３１】
また、図４に示されるように、絶縁ハウジング１２に埋め込まれた金属板部材１４は、絶縁ハウジング１２の内部において屈曲されていて、それにより剛性が高められている。そして、金属板部材１４における突出部１４ａは、金属板部材１４の絶縁ハウジング１２の内部において屈曲された部分から伸びて、絶縁ハウジング１２の背面側からその外方に突出しており、また、金属板部材１４における露出部１４ｂは、金属板部材１４における二つの屈曲された部分の間に形成されている。
【００３２】
上述のように複数の導電コンタクト部材１３が配列配置されて設けられるとともに、金属板部材１４が埋め込まれた絶縁ハウジング１２は、後述されるように、基板に取り付けられたリセプタクルコネクタに、例えば、基板に直交もしくは略直交する方向とされる、基板と交差する方向をもって差し込まれる。そして、リセプタクルコネクタに差し込まれた絶縁ハウジング１２における複数の導電コンタクト部材１３に、リセプタクルコネクタにおける複数の導電コンタクト部材が接触する。また、その際、リセプタクルコネクタに差し込まれた絶縁ハウジング１２から突出する金属板部材１４の突出部１４ａは、リセプタクルコネクタが取り付けられた基板との間に空隙を形成する。
【００３３】
図５及び図５におけるVI−VI線断面をあらわす図６は、図１〜図４に示されるプラグコネクタ１１に、複数のケーブル２０が平板状に配列されて成るケーブル群が連結された状態を示す。複数のケーブル２０は、プラグコネクタ１１に、その絶縁ハウジング１２の背面側から係合して連結される。
【００３４】
図６に明瞭に示されるように、複数のケーブル２０のプラグコネクタ１１との連結は、絶縁ハウジング１２の背面側から係合する複数のケーブル２０の各々が内蔵する信号導体２１が、絶縁ハウジング１２に設けられた複数の導電コンタクト部材１３の夫々における平坦部を形成する部分１３ａに接続されることにより行われる。それにより、複数のケーブル２０が連結されたプラグコネクタ１１にあっては、各々の信号導体２１が導電コンタクト部材１３の部分１３ａに接続された複数のケーブル２０が、絶縁ハウジング１２の背面側から引き出される状態がとられる。
【００３５】
複数のケーブル２０は、各々が信号導体２１に加えて内蔵するグラウンド導体２２が、グラウンド接続部材２３によって相互接続された状態におかれている。そして、複数のケーブル２０の各々が内蔵する信号導体２１が、絶縁ハウジング１２に設けられた複数の導電コンタクト部材１３の夫々における平坦部を形成する部分１３ａに接続されるとき、グラウンド接続部材２３も、絶縁ハウジング１２の上面側の外表面上に配される。
【００３６】
ケーブル２０の信号導体２１が導電コンタクト部材１３の部分１３ａに接続されたもとにおいては、絶縁ハウジング１２に埋め込まれた金属板部材１４は、グラウンド接続されることにより、導電コンタクト部材１３の部分１３ａ及びそれに接続された信号導体２１に対して、自己放射ノイズの低減及び外部ノイズの遮断等の電磁シールド効果をもたらす。
【００３７】
図７，図８及び図７におけるIX−IX線断面をあらわす図９は、図５及び図６に示される複数のケーブル２０が連結されたプラグコネクタ１１に、導電性シェル２５が装着された状態を示す。導電性シェル２５は、絶縁ハウジング１２の上面側に、複数の導電コンタクト部材１３の部分１３ａ及びそれに接続された複数の信号導体２１を覆うようにして装着される。そして、導電性シェル２５の一部は、複数のケーブル２０の各々が内蔵するグラウンド導体２２を相互接続するグラウンド接続部材２３に接触するものとされる。それによって、導電性シェル２５は、グラウンド接続されることになり、導電コンタクト部材１３の部分１３ａ及びそれに接続された信号導体２１に対して、自己放射ノイズの低減及び外部ノイズの遮断等の電磁シールド効果をもたらす。また、図８に示されるように、導電性シェル２５の側面部には、後述されるリセプタクルコネクタの導電性シェルに設けられた突起部が係合する係止孔２５ａが設けられている。
【００３８】
なお、上述の例は、複数の導電コンタクト部材１３の部分１３ａに複数のケーブル２０に内蔵された信号導体２１が接続されているが、複数の導電コンタクト部材１３の部分１３ａには、少なくともそれらのうちの一つに信号導体が接続されればよく、また、その信号導体も、ケーブルに内蔵されたものでなく、例えば、フレキシブル印刷配線基板に備えられるものとされてもよい。
【実施例２】
【００３９】
図１０（上面図）及び図１１（正面図）は、本願請求項７〜９の発明に係るリセプタクルコネクタの一例を示す。
【００４０】
図１０及び図１１において、本願請求項７〜９の発明に係るリセプタクルコネクタの一例を成すリセプタクルコネクタ３１は、上述の図１〜図９に示される導電性シェル２５が装着されたプラグコネクタ１１が差込接続されるものとされており、合成樹脂等の絶縁材料によって形成されて、例えば、ソリッド印刷配線基板とされる基板（図示は省略されている）に取り付けられた、細長い絶縁ハウジング３２を備えている。
【００４１】
絶縁ハウジング３２には、プラグコネクタ１１の絶縁ハウジング１２が、複数の導電コンタクト部材１３及び金属板部材１４を伴って差し込まれる嵌合部３３が設けられている。嵌合部３３は、絶縁ハウジング３２の長手方向に伸びており、その絶縁ハウジング３２の背面側となる部分には、開口部３４が設けられている。この嵌合部３３に対するプラグコネクタ１１の絶縁ハウジング１２の差込み方向は、例えば、絶縁ハウジング３２が取り付けられた基板と交差する方向、例えば、直交もしくは略直交する方向とされる。
【００４２】
嵌合部３３に設けられた開口部３４は、プラグコネクタ１１の絶縁ハウジング１２が嵌合部３３に差し込まれるとき、嵌合部３３に差し込まれた絶縁ハウジング１２から突出する金属板部材１４の突出部１４ａに対応する位置をもって設けられていることになる。それにより、嵌合部３３に差し込まれた絶縁ハウジング１２から突出する金属板部材１４の突出部１４ａは、嵌合部３３に設けられた開口部３４内に配される。そして、開口部３４は、そこに配された突出部１４ａに、絶縁ハウジング３２が取り付けられた基板との間に、所定の空隙を形成させる。
【００４３】
また、絶縁ハウジング３２に設けられた嵌合部３３の絶縁ハウジング３２の正面側となる部分には、絶縁ハウジング３２の長手方向に配列配置された複数の導電コンタクト部材３５が設けられている。複数の導電コンタクト部材３５の各々は、部分３５ａと部分３５ｂとを有している。そして、複数の導電コンタクト部材３５は、プラグコネクタ１１の絶縁ハウジング１２が嵌合部３３に差し込まれるとき、嵌合部３３に差し込まれた絶縁ハウジング１２における複数の導電コンタクト部材１３に接触する。
【００４４】
図１０における XII−XII 線断面をあらわす図１２に示されるように、絶縁ハウジング３２に設けられた複数の導電コンタクト部材３５の各々にあっては、その部分３５ａが、絶縁ハウジング３２が取り付けられた基板に沿う方向に伸び、当該基板に設けられた接続導体部（図示は省略されている）に接続される接続端子部とされており、また、その部分３５ｂが、嵌合部３３内に入り込んだ屈曲部とされている。嵌合部３３内に入り込んだ部分３５ｂは、その一部が、嵌合部３３に差し込まれたプラグコネクタ１１の絶縁ハウジング１２における導電コンタクト部材１３に接触することになる接触部を形成している。そして、部分３５ｂが形成する接触部には、プラグコネクタ１１の導電コンタクト部材１３の部分１３ｂに設けられた凸部１３ｃに係合する凹部３５ｃが設けられている。
【００４５】
このような図１２に示される例にあっては、導電コンタクト部材３５の部分３５ｂが形成する接触部に、プラグコネクタ１１の導電コンタクト部材１３の部分１３ｂに設けられた凸部１３ｃに係合する凹部３５ｃが設けられているが、それに代えて、導電コンタクト部材３５の部分３５ｂが形成する接触部に、プラグコネクタ１１の導電コンタクト部材１３の部分１３ｂに設けられた凹部に係合する凸部が設けられてもよい。
【００４６】
図１３（上面図），図１４（正面図）及び図１３におけるXV−XV線断面をあらわす図１５は、図１０〜図１２に示されるリセプタクルコネクタ３１に、導電性シェル３６が装着された状態を示す。導電性シェル３６は、絶縁ハウジング３２の上面側に、複数の導電コンタクト部材３５の部分３５ｂを覆うようにして装着される。そして、導電性シェル３６の一部は、絶縁ハウジング３２が取り付けられた基板に沿う方向に伸び、当該基板に設けられたグラウンド接続部（図示は省略されている）に接続されるグラウンド端子部３６ａを形成している。それにより、導電性シェル３６は、複数のケーブル２０が連結されたプラグコネクタ１１の絶縁ハウジング１２が絶縁ハウジング３２に設けられた嵌合部３３に差し込まれたもとにおいて、嵌合部３３に差し込まれたプラグコネクタ１１の絶縁ハウジング１２における導電コンタクト部材１３に接触する導電コンタクト部材３５の部分３５ｂに対して、自己放射ノイズの低減及び外部ノイズの遮断等の電磁シールド効果をもたらす。また、導電性シェル３６の側面部には、プラグコネクタ１１に装着された導電性シェル２５に設けられている係止孔２５ａに係合する突起部３６ｂが形成されている。
【００４７】
図１６，図１６におけるXV1I−XVII線断面をあらわす図１７及び図１６における XV1II−XVIII 線断面をあらわす図１８は、図１３〜図１５に示される導電性シェル３６が装着されたリセプタクルコネクタ３１に、図７〜図９に示される複数のケーブル２０が連結されるとともに導電性シェル２５が装着されたプラグコネクタ１１が差込接続された状態を示す。プラグコネクタ１１のリセプタクルコネクタ３１に対する差込接続は、プラグコネクタ１１の絶縁ハウジング１２が、リセプタクルコネクタ３１の絶縁ハウジング３２に設けられた嵌合部３３に、例えば、絶縁ハウジング３２が取り付けられた基板に直交もしくは略直交する方向とされる、絶縁ハウジング３２が取り付けられた基板と交差する方向をもって差し込まれることによってなされる。
【００４８】
図１６，図１７及び図１８において、リセプタクルコネクタ３１の絶縁ハウジング３２における嵌合部３３に差し込まれたプラグコネクタ１１の絶縁ハウジング１２は、それに設けられた複数の導電コンタクト部材１３の部分１３ｂに、絶縁ハウジング３２における嵌合部３３に設けられた複数の導電コンタクト部材３５の部分３５ｂが夫々接触している。それにより、プラグコネクタ１１における複数の導電コンタクト部材１３に夫々接続された複数のケーブル２０に内蔵された信号導体２１が、リセプタクルコネクタ３１における複数の導電コンタクト部材３５に夫々接続されることになる。
【００４９】
その際、導電コンタクト部材１３の部分１３ｂに対する導電コンタクト部材３５の部分３５ｂの接触は、導電コンタクト部材３５の部分３５ｂに設けられた凹部３５ｃが導電コンタクト部材１３の部分１３ｂに設けられた凸部１３ｃに係合する状態をもってなされる。それにより、導電コンタクト部材１３の部分１３ｂに対する導電コンタクト部材３５の部分３５ｂの接触が、所定の保持力をもって行われ、その結果、プラグコネクタ１１のリセプタクルコネクタ３１に対する差込接続状態が、その保持力の向上が図られたものとして得られる。さらに、リセプタクルコネクタ３１に装着された導電性シェル３６に設けられた突起部３６ｂが、プラグコネクタ１１に装着された導電性シェル２５に設けられた係止孔２５ａに係合する。それにより、導電性シェル２５と導電性シェル３６との電気的接続もなされ、導電性シェル２５が、導電性シェル３６を介して、リセプタクルコネクタ３１の絶縁ハウジング３２が取り付けられた基板に設けられたグラウンド接続部に連結される。
【００５０】
また、リセプタクルコネクタ３１の絶縁ハウジング３２に設けられた嵌合部３３に差し込まれたプラグコネクタ１１の絶縁ハウジング１２から、複数のケーブル２０の引出し方向に沿う方向に突出する金属板部材１４の突出部１４ａは、複数のケーブル２０と共に、嵌合部３３に設けられた開口部３４内に配される。そして、突出部１４ａは、リセプタクルコネクタ３１の絶縁ハウジング３２が取り付けられた基板との間に、所定の空隙を形成する。プラグコネクタ１１の絶縁ハウジング１２から引き出される複数のケーブル２０は、リセプタクルコネクタ３１の絶縁ハウジング３２が取り付けられた基板に沿う方向に伸びる状態に置かれる。
【実施例３】
【００５１】
図１９，図２０，図２１及び図２２は、本願請求項１０〜１１の発明に係るコネクタ抜取り方法の一例の説明に供される。
【００５２】
図１９には、例えば、ソリッド印刷配線基板とされる基板４０上において、前述の図１３〜図１５に示される導電性シェル３６が装着されたリセプタクルコネクタ３１に、図７〜図９に示される複数のケーブル２０が連結されるとともに導電性シェル２５が装着されたプラグコネクタ１１が差込接続されて構成される、コネクタ係合体４１が示されている。基板４０は、リセプタクルコネクタ３１の絶縁ハウジング３２が取り付けられ、絶縁ハウジング３２における嵌合部３３に設けられた複数の導電コンタクト部材３５の部分３５ａが、接続導体部に接続されるとともに、リセプタクルコネクタ３１に装着された導電性シェル３６におけるグラウンド端子部３６ａが、グラウンド接続部に接続される基板である。
【００５３】
プラグコネクタ１１のリセプタクルコネクタ３１に対する差込接続は、プラグコネクタ１１の絶縁ハウジング１２が、リセプタクルコネクタ３１の絶縁ハウジング３２に設けられた嵌合部３３に、基板４０と交差する方向をもって差し込まれることによってなされ、その際、プラグコネクタ１１の絶縁ハウジング１２から、複数のケーブル２０の引出し方向に沿う方向に突出する金属板部材１４の突出部１４ａは、複数のケーブル２０と共に、嵌合部３３に設けられた開口部３４内に配され、突出部１４ａは、基板４０との間に所定の空隙を形成する。
【００５４】
従って、コネクタ係合体４１は、プラグコネクタ１１がリセプタクルコネクタ３１に、プラグコネクタ１１の絶縁ハウジング１２がリセプタクルコネクタ３１の絶縁ハウジング３２に設けられた嵌合部３３に基板４０と交差する方向をもって差し込まれ、絶縁ハウジング１２から突出する金属板部材１４の突出部１４ａが、嵌合部３３に設けられた開口部３４内に配されて基板４０との間に所定の空隙を形成する状態、をもって係合することにより構成されていることになる。
【００５５】
本願請求項１０〜１１の発明に係るコネクタ抜取り方法の一例は、上述のようなコネクタ係合体４１に適用される。
【００５６】
本願請求項１０〜１１の発明に係るコネクタ抜取り方法の一例を実施する際には、先ず、例えば、図１９に示されるような抜取り用ジグ４２を用意する。抜取り用ジグ４２は、コネクタ係合体４１の長手方向に沿う方向の両端部４３の各々が爪状突出片を形成するものとし、両端部４３間の間隔を、プラグコネクタ１１の絶縁ハウジング１２における長手方向の両端部からその外方に突出する一対の突出部１４ａ間の間隔に相当するものに選定しておく。
【００５７】
次に、図２０及び図２１に示されるように、抜取り用ジグ４２の両端部４３を、基板４０上において、プラグコネクタ１１の絶縁ハウジング１２における長手方向の両端部からその外方に突出する一対の突出部１４ａに夫々対応する位置に配する。その後、抜取り用ジグ４２の両端部４３を、図２０において矢印αにより示される方向に移動させて、図２１に示されるように、プラグコネクタ１１の絶縁ハウジング１２から突出する一対の突出部１４ａの夫々と基板４０との間に形成された空隙に差し込む。
【００５８】
続いて、各々が突出部１４ａと基板４０との間に形成された空隙に差し込まれた抜取り用ジグ４２の両端部４３を、図２１において矢印βにより示される方向に回動させ、図２２に示されるように、抜取り用ジグ４２の両端部４３の各々を、突出部１４ａに当接させてその突出部１４ａと共に基板４０から離隔させる操作を行うことにより、一対の突出部１４ａの夫々を基板４０から離隔させる方向に移動させる。このとき、基板４０から離隔する一対の突出部１４ａの夫々は、プラグコネクタ１１の絶縁ハウジング１２に、リセプタクルコネクタ３１の絶縁ハウジング３２に設けられた嵌合部３３への差込方向とは逆の方向（図２２において矢印γにより示される方向）に移動させる力を作用させ、プラグコネクタ１１の絶縁ハウジング１２をリセプタクルコネクタ３１の絶縁ハウジング３２に設けられた嵌合部３３から離脱させる。その結果、プラグコネクタ１１をリセプタクルコネクタ３１から抜き取ることができる。
【００５９】
斯かる際、プラグコネクタ１１の絶縁ハウジング１２から突出する一対の突出部１４ａを基板４０から離隔する方向に移動させるべく一対の突出部１４ａの夫々に加えられる力は、プラグコネクタ１１の絶縁ハウジング１２に埋め込まれた金属板部材１４の全体にかかり、金属板部材１４によって受け止められることになり、斯かる力がプラグコネクタ１１に局所的に集中作用することはない。従って、絶縁ハウジング１２が基板４０に取り付けられた絶縁ハウジング３２における嵌合部３３に基板４０に交差する方向から差し込まれて、リセプタクルコネクタ３１との係合状態にあるプラグコネクタ１１を、絶縁ハウジング１２から突出する金属板部材１４の突出部１４ａを利用して、その変形もしくは破損，それに設けられた導電コンタクト部材１３に接続されたケーブル２０の信号導体２１の断線等が生じる虞が著しく低減されるもとで、リセプタクルコネクタ３１から容易に抜き取ることができることになる。
【００６０】
なお、上述の例においては、プラグコネクタ１１の絶縁ハウジング１２から突出する突出部１４ａにそれを基板４０から離隔する方向に移動させるための力を加えるにあたり、抜取り用ジグ４２を用いているが、本願請求項１０〜１１の発明に係るコネクタ抜取り方法にあっては、抜取り用ジグ４２の使用を必須とするものではなく、プラグコネクタ１１の絶縁ハウジング１２から突出する突出部１４ａに、それを基板４０から離隔する方向に移動させるための力を、抜取り用ジグ４２に代わる種々のジグを用いて加える、あるいは、格別なジグを用いることなく、プラグコネクタ１１の絶縁ハウジング１２から突出する突出部１４ａに、それを基板４０から離隔する方向に移動させるための力を加えるようにしてもよい。
【００６１】
また、上述の例にあっては、それが適用されるコネクタ係合体４１が、それを構成するプラグコネクタ１１の絶縁ハウジング１２から一対の突出部１４ａが突出するものとされているが、本願請求項１０〜１１の発明に係るコネクタ抜取り方法は、プラグコネクタ１１が、その絶縁ハウジング１２から突出する突出部１４ａが一対とされる態様をとらないもとで、リセプタクルコネクタ３１に差込接続されて構成される、コネクタ係合体４１とは異なるコネクタ係合体にも適用することができる。
【産業上の利用可能性】
【００６２】
以上のような本願請求項１〜６の発明に係るプラグコネクタ，本願請求項７〜９の発明に係るリセプタコネクタ及び本願請求項１０〜１１の発明に係るコネクタ抜取り方法は、それらのいずれもが、プラグコネクタを基板に取り付けられたリセプタクルコネクタに、基板に交差する方向から差し込んで差込接続した後の、プラグコネクタのリセプタクルコネクタからの抜取りを、プラグコネクタの変形もしくは破損，それに連結されたケーブルあるいはフレキシブル印刷配線基板における信号導体の断線等を生じさせることなく行えるものとして、様々な電子機器等に広く適用され得るものである。
【図面の簡単な説明】
【００６３】
【図１】本願請求項１〜６の発明に係るプラグコネクタの一例を示す上面図である。
【図２】本願請求項１〜６の発明に係るプラグコネクタの一例を示す正面図である。
【図３】本願請求項１〜６の発明に係るプラグコネクタの一例を示す底面図である。
【図４】図１におけるIV−IV線断面をあらわす断面図である。
【図５】本願請求項１〜６の発明に係るプラグコネクタの一例にケーブル群が連結された状態を示す平面図である。
【図６】図５におけるVI−VI線断面をあらわす断面図である。
【図７】ケーブル群が連結された本願請求項１〜６の発明に係るプラグコネクタの一例に導電性シェルが装着された状態を示す平面図である。
【図８】ケーブル群が連結された本願請求項１〜６の発明に係るプラグコネクタの一例に導電性シェルが装着された状態を示す側面図である。
【図９】図７におけるIX−IX線断面をあらわす断面図である。
【図１０】本願請求項７〜９の発明に係るレセプタクルコネクタの一例を示す上面図である。
【図１１】本願請求項７〜９の発明に係るレセプタクルコネクタの一例を示す正面図である。
【図１２】図１０における XII−XII 線断面をあらわす断面図である。
【図１３】本願請求項７〜９の発明に係るレセプタクルコネクタの一例に導電性シェルが装着された状態を示す平面図である。
【図１４】本願請求項７〜９の発明に係るレセプタクルコネクタの一例に導電性シェルが装着された状態を示す正面図である。
【図１５】図１３におけるXV−XV線断面をあらわす断面図である。
【図１６】導電性シェルが装着された本願請求項７〜９の発明に係るレセプタクルコネクタの一例に導電性シェルが装着された本願請求項１〜６の発明に係るプラグコネクの一例が差込接続された状態を示す平面図である。
【図１７】図１６におけるXVII−XVII線断面をあらわす断面図である。
【図１８】図１６における XVIII−XVIII 線断面をあらわす断面図である。
【図１９】本願請求項１０〜１１の発明に係るコネクタ抜取り方法の一例の説明に供される斜視図である。
【図２０】本願請求項１０〜１１の発明に係るコネクタ抜取り方法の一例の説明に供される断面図である。
【図２１】本願請求項１０〜１１の発明に係るコネクタ抜取り方法の一例の説明に供される断面図である。
【図２２】本願請求項１０〜１１の発明に係るコネクタ抜取り方法の一例の説明に供される断面図である。
【符号の説明】
【００６４】
１１・・・プラグコネクタ，  １２，３２・・・絶縁ハウジング，  １３，３５・・・導電コンタクト部材，  １４・・・金属板部材，  １４ａ・・・突出部，  ２０・・・ケーブル，  ２１・・・信号導体，  ２２・・・グラウンド導体，  ２３・・・グラウンド接続部材，  ２５，３６・・・導電性シェル，  ２５ａ・・・係止孔，  ３１・・・レセプタクルコネクタ，  ３３・・・嵌合部，  ３４・・・開口部，  ３６ａ・・・グラウンド端子部，  ３６ｂ・・・突起部，  ４０・・・基板，  ４１・・・コネクタ係合体，  ４２・・・抜取り用ジグ，  ４３・・・端部
【図１】
2007258126.tif 000003
【図２】
2007258126.tif 000004
【図３】
2007258126.tif 000005
【図４】
2007258126.tif 000006
【図５】
2007258126.tif 000007
【図６】
2007258126.tif 000008
【図７】
2007258126.tif 000009
【図８】
2007258126.tif 000010
【図９】
2007258126.tif 000011
【図１０】
2007258126.tif 000012
【図１１】
2007258126.tif 000013
【図１２】
2007258126.tif 000014
【図１３】
2007258126.tif 000015
【図１４】
2007258126.tif 000016
【図１５】
2007258126.tif 000017
【図１６】
2007258126.tif 000018
【図１７】
2007258126.tif 000019
【図１８】
2007258126.tif 000020
【図１９】
2007258126.tif 000021
【図２０】
2007258126.tif 000022
【図２１】
2007258126.tif 000023
【図２２】
2007258126.tif 000024